(57)【要約】      （修正有）【課題】使用済みのスプレー缶を安全に廃棄することの可能な使用済みスプレー缶孔あけ器を提供する。【解決手段】使用済みスプレー缶孔あけ器は、スプレー缶ＳＰに孔をあけるためのピン１１０を底部に有し、内部に水Ｗを収容することができる水タンク１００と、スプレー缶ＳＰをはめ込めるキャップ２１０と使用者が握るためのハンドル２２０とを有するハンドルキャップ２００と、を備えたことを特徴とする。使用済みのスプレー缶ＳＰに水中で孔をあけられることから、従来のように金属摩擦による発火を防止することができ、使用済みのスプレー缶を安全に廃棄することが可能である。【選択図】図４
0003192204.tif 000002
【実用新案登録請求の範囲】
【請求項１】
スプレー缶に孔をあけるためのピンを底部に有し、内部に水を収容することができる水タンクと、
スプレー缶をはめ込めるキャップと使用者が握るためのハンドルとを有するハンドルキャップと、
を備えたことを特徴とする、使用済みスプレー缶孔あけ器。
【請求項２】
前記ハンドルは、中空のグリップ部を有することを特徴とする、請求項１に記載の使用済みスプレー缶孔あけ器。
【請求項３】
前記キャップは磁石からなることを特徴とする、請求項１又は２に記載の使用済みスプレー缶孔あけ器。
【考案の詳細な説明】
【技術分野】
【０００１】
本考案は、使用済みのスプレー缶に孔をあけるための使用済みスプレー缶孔あけ器に関する。なおここでいう「使用済み」とは、完全に中身を使い切ったもののみをいうのではなく、少なからず中身が残留しているが廃棄しようとするものも使用済みというものとする。
【背景技術】
【０００２】
スプレー缶には可燃性の液化石油ガス（ＬＰＧ）が用いられており、スプレー缶を廃棄するための穴開け作業中に、爆発火災や人身事故などが後を絶たない。そこで、従来より、使用済みのスプレー缶を安全に処理するためのスプレー缶孔あけ器が開発されてきた（例えば、特許文献１参照）。特許文献１に開示されるスプレー缶孔あけ器は、連続山状の刃部の上で横方向に沿って使用済みのスプレー缶を置き、回動するレバーにより刃部にスプレー缶を押圧することにより、スプレー缶に刃部を押し当てて孔をあけるように構成されるものである。
【先行技術文献】
【特許文献】
【０００３】
【特許文献１】実用新案登録第３１８４８２２号
【考案の概要】
【考案が解決しようとする課題】
【０００４】
しかしながら、このような従来のスプレー缶孔あけ器にあっては、刃部とスプレー缶との摩擦により火花が発生し、残留しているガスに引火し、爆発するという可能性があるという不具合があった。
【０００５】
そこで本考案は、このような問題に鑑みてなされたもので、その目的とするところは、使用済みのスプレー缶を安全に廃棄することの可能な、新規かつ改良された使用済みスプレー缶孔あけ器を提供することにある。
【課題を解決するための手段】
【０００６】
上記課題を解決するために、本考案によれば、スプレー缶に孔をあけるためのピンを底部に有し、内部に水を収容することができる水タンクと、スプレー缶をはめ込めるキャップと使用者が握るためのハンドルとを有するハンドルキャップと、を備えたことを特徴とする使用済みスプレー缶孔あけ器が提供される。
【０００７】
かかる構成によれば、スプレー缶をハンドルキャップのキャップにはめ込み、使用者がハンドルを握って水タンク内でスプレー缶を押し下げることにより、水タンクの底部に設けられたピンにより水中でスプレー缶に孔をあけることができる。このようにして、従来のような金属摩擦による発火を防止することができる。
【０００８】
本考案は、さまざまな応用が可能である。例えば、前記ハンドルは、中空のグリップ部を有するように構成してもよい。中空のグリップ部を有することで、使用者はハンドルを握りやすくなり、より簡単にスプレー缶に孔をあけることができる。
【０００９】
また例えば、前記キャップを磁石にしてもよい。スプレー缶が磁石によって固定されるので、より簡単にスプレー缶に孔をあけることができる。
【考案の効果】
【００１０】
本考案によれば、使用済みのスプレー缶に水中で孔をあけられることから、従来のように金属摩擦による発火を防止することができ、使用済みのスプレー缶を安全に廃棄することが可能である。なお、本考案のその他の効果や応用例については、さらに後述する。
【図面の簡単な説明】
【００１１】
【図１】使用済みスプレー缶孔あけ器の構成を示す図である。
【図２】キャップにスプレー缶をはめ込む動作を示す図である。
【図３】スプレー缶を水タンクに入れた状態を示す図である。
【図４】スプレー缶を押し込んだ状態を示す図である。
【考案を実施するための形態】
【００１２】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１３】
図１は、本実施形態の一実施形態に係る使用済みスプレー缶孔あけ器を示す図である。
使用済みスプレー缶孔あけ器は、図１に示したように、水タンク１００とハンドルキャップ２００との組み合わせから構成される。図１において、符号ＳＰは使用済みのスプレー缶である。以下、順に説明する。
【００１４】
水タンク１００は、例えば円筒形状であり、内部に水を収容することができる。水タンク１００は、スプレー缶ＳＰの大きさに合わせて所定の深さで構成される。水タンク１００の材質は、ステンレス、鉄などの金属、プラスチックなど、任意の材質を用いることができる。そして、水タンク１００は、図１に示したように、スプレー缶ＳＰに孔をあけるためのピン１１０を底部に有する。スプレー缶ＳＰに孔をあける動作については後述する。
【００１５】
ハンドルキャップ２００は、図１に示したように、スプレー缶ＳＰをはめ込めるキャップ２１０と、使用者が握るためのハンドル２２０とを有する。
【００１６】
キャップ２１０は、スプレー缶ＳＰをはめ込むことができるものであり、ステンレス、鉄などの金属、プラスチック、磁石など、任意の材質で構成することができる。ここでいうはめ込むとは、何らかの形でスプレー缶を固定できるものであればどのような構造でもよい。キャップ２１０におけるスプレー缶ＳＰのはめ込み構造は、例えばねじ山やロックによる嵌合などの構造的なものであってもよく、あるいは、磁石などの磁気的なものであってもよい。特に、キャップ２１０の材質として、磁石を用いると、スプレー缶ＳＰを簡単に固定できる。
【００１７】
ハンドル２２０は、使用者が握る部分である。ハンドル２２０は、任意の形状を採用することができるが、本実施形態では、使用者が握りやすいように、図１に示したような中空のグリップ部２２２を有する構造を採用した。使用の際には、中空のグリップ部２２２に、親指以外の指又はすべての指を入れて握ることにより、後述するスプレー缶ＳＰの押圧動作の際に、力を入れやすくなる。
【００１８】
以上、本実施形態にかかるスプレー缶孔あけ器の構成を説明した。次に、このスプレー缶孔あけ器を用いた孔あけ動作について、図２〜図４を参照しながら説明する。
【００１９】
まず、図２に示したように、ハンドルキャップ２００のキャップ２１０に、使用済みのスプレー缶ＳＰをはめ込む。そして、ハンドルキャップ２００のハンドル２２０を握って、図３に示したように、水Ｗを張った水タンク１００にスプレー缶ＳＰを落とし込む。そして、ハンドルキャップ２００のハンドル２２０を握ったまま、図４の矢印に示したように、スプレー缶ＳＰをピン１１０に押し当てる。このようにして、水中にてスプレー缶ＳＰに孔をあけることができる。
【００２０】
以上説明したように、本実施形態によれば、スプレー缶ＳＰをハンドルキャップ２００のキャップ２１０にはめ込み、使用者はハンドル２２０を握って、水タンク１００内でスプレー缶ＳＰを押し下げることにより、水中でスプレー缶ＳＰに孔をあけることができる。このようにして、従来のような金属摩擦による発火を防止することができる。
【００２１】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００２２】
例えば、上記実施形態では、ハンドルキャップ２００のキャップ２１０を磁石で構成する場合について説明したが、本考案はこれに限定されない。上記実施形態の説明からも明らかであるが、キャップ２１０とスプレー缶ＳＰとは、必ずしも固定する必要はないので、キャップ２１０の構成の自由度は高い。
【００２３】
また、上記実施形態では、ハンドルキャップ２００のハンドル２２０に、中空のグリップ部２２２を設ける例について説明したが、本考案はこれに限定されない。握りやすくするための工夫として、例えば、水道の蛇口のような形状としたり、ラバー張りして滑りにくくするなど、さまざまな構成を採用することが可能である。
【産業上の利用可能性】
【００２４】
本考案は、使用済みのスプレー缶に孔をあける使用済みスプレー缶孔あけ器に利用可能である。
【符号の説明】
【００２５】
１００  水タンク
１１０  ピン
２００  ハンドルキャップ
２１０  キャップ
２２０  ハンドル
２２２  グリップ部
ＳＰ    スプレー缶
Ｗ      水
【図１】
0003192204.tif 000003
【図２】
0003192204.tif 000004
【図３】
0003192204.tif 000005
【図４】
0003192204.tif 000006